(57)【特許請求の範囲】
【請求項１】
移動端末のハンドオーバ先を特定するための処理を行うハンドオーバ先特定システムであって、
前記移動端末の接続対象となり得る複数の基地局によってそれぞれ形成されたアクセス可能な範囲を示すセルの受信品質をそれぞれ測定し、測定された前記受信品質が所定の条件を満たす場合、前記所定の条件を満たすセルの識別情報及び前記セルの受信品質の情報を含む第１のメッセージを生成し、前記第１のメッセージを前記移動端末が現在接続している接続基地局へ送信する前記移動端末と、
前記第１のメッセージに基づいて、前記受信品質が測定された前記セルのユニークなグローバル識別情報を検出させるための情報を含む第２のメッセージを生成し、前記第２のメッセージを前記移動端末へ送信する前記接続基地局とから構成され、
前記移動端末が、前記第２のメッセージに基づいて、前記受信品質が測定されたセルの前記グローバル識別情報を検出し、検出された前記セルへのアクセス許可を確認し、アクセス許可が確認された場合に、前記アクセス許可のあるセルの前記グローバル識別情報を含む第３のメッセージを生成し、前記第３のメッセージを前記接続基地局へ送信するハンドオーバ先特定システム。
【請求項２】
前記移動端末は、所定の情報に基づいて前記グローバル識別情報の検出を行うセルを絞り込み、絞り込まれた前記セルの中から前記グローバル識別情報を検出し、検出された前記グローバル識別情報に該当する前記セルのアクセス許可を確認する請求項１に記載のハンドオーバ先特定システム。
【請求項３】
前記所定の情報は、前記移動端末が保持している、過去にアクセス許可があったセル情報である請求項２に記載のハンドオーバ先特定システム。
【請求項４】
前記接続基地局は、前記第２のメッセージに所定の閾値を含めて送信し、
前記移動端末は、前記所定の情報に基づいて絞り込まれたセルのうち、前記受信品質が前記所定の閾値以上のセルに対して前記グローバル識別情報を検出し、検出された前記グローバル識別情報に該当する前記セルのアクセス許可を確認する請求項２又は３に記載のハンドオーバ先特定システム。
【請求項５】
前記移動端末は、前記移動端末が保持する、過去にアクセス許可があったセル情報の信頼性を示す信頼性情報を前記第１のメッセージに含め、
前記接続基地局は、前記第１のメッセージの前記信頼性情報に基づいて、前記セル情報の信頼性が低いか否かを判断し、前記信頼性が低いと判断した場合、前記グローバル識別情報の検出をさせるセルのセルリストを前記第２のメッセージに含め、
前記移動端末は、前記セルリストに基づいて前記グローバル識別情報を検出し、検出された前記グローバル識別情報に該当する前記セルのアクセス許可を確認する請求項１に記載のハンドオーバ先特定システム。
【請求項６】
前記接続基地局は、前記第２のメッセージに所定の閾値を含めて送信し、
前記移動端末は、前記受信品質を測定したセルのうち、前記受信品質が前記所定の閾値以上のセルに対して前記グローバル識別情報を検出し、検出された前記グローバル識別情報に該当する前記セルのアクセス許可を確認する請求項１に記載のハンドオーバ先特定システム。
【請求項７】
移動端末のハンドオーバ先を特定するための処理を行うハンドオーバ先特定システムにおける前記移動端末であって、
前記移動端末の接続対象となり得る複数の基地局によってそれぞれ形成されたアクセス可能な範囲を示すセルの受信品質をそれぞれ測定する測定手段と、
測定された前記受信品質が所定の条件を満たすか否かを判断する判断手段と、
前記所定の条件を満たすと判断された場合、前記所定の条件を満たすセルの識別情報及び前記セルの受信品質の情報を含む第１のメッセージを生成する生成手段と、
生成された前記第１のメッセージを前記移動端末自身が現在接続している接続基地局へ送信する送信手段と、
前記第１のメッセージに基づいて、前記受信品質が測定された前記セルのユニークなグローバル識別情報を検出させるための情報を含む第２のメッセージを前記接続基地局から受信する受信手段と、
受信した前記第２のメッセージに基づいて、前記受信品質が測定されたセルの前記グローバル識別情報を検出し、検出された前記セルへのアクセス許可を確認する処理手段とを備え、
前記生成手段は、前記アクセス許可が確認された場合に、前記アクセス許可のあるセルの前記グローバル識別情報を含む第３のメッセージを生成し、
前記送信手段は、生成された前記第３のメッセージを前記接続基地局へ送信する移動端末。
【請求項８】
所定の情報に基づいて前記グローバル識別情報の検出を行うセルを絞り込むセル選択手段を更に備え、
前記処理手段は、絞り込まれた前記セルの中から前記グローバル識別情報を検出し、検出された前記グローバル識別情報に該当する前記セルのアクセス許可を確認する請求項７に記載の移動端末。
【請求項９】
前記所定の情報は、前記移動端末のセル情報格納手段が保持している、過去にアクセス許可があったセル情報である請求項８に記載の移動端末。
【請求項１０】
前記処理手段は、前記所定の情報に基づいて絞り込まれたセルのうち、前記受信品質が前記接続基地局によって前記第２のメッセージに含められた所定の閾値以上のセルに対して前記グローバル識別情報を検出し、検出された前記グローバル識別情報に該当する前記セルのアクセス許可を確認する請求項８又は９に記載の移動端末。
【請求項１１】
前記生成手段は、前記移動端末が保持する、過去にアクセス許可があったセル情報の信頼性を示す信頼性情報を前記第１のメッセージに含め、
前記受信手段は、前記信頼性情報に基づいて前記接続基地局によって送信された、前記グローバル識別情報を検出させるセルのセルリストを含む前記第２のメッセージを受信し、
前記処理手段は、前記セルリストに基づいて前記グローバル識別情報を検出し、検出された前記グローバル識別情報に該当する前記セルのアクセス許可を確認する請求項７に記載の移動端末。
【請求項１２】
前記処理手段は、前記受信品質を測定したセルのうち、前記受信品質が前記接続基地局によって前記第２のメッセージに含まれた所定の閾値以上のセルに対して前記グローバル識別情報を検出し、検出された前記グローバル識別情報に該当する前記セルのアクセス許可を確認する請求項７に記載の移動端末。
【請求項１３】
前記生成手段は、前記第２のメッセージを受信した際、設定されたタイマーが所定の時間を経過するまでにアクセス許可のあるセルを検出できない場合、アクセス許可のあるセルがなかった旨を前記第３のメッセージに含める請求項７に記載の移動端末。
【請求項１４】
前記タイマーは、前記移動端末自身又は前記接続基地局によって設定されるものであり、
選択されたセルの数が所定の閾値を超えた場合に長く設定され、前記所定の閾値を超えない場合に短く設定される請求項１３に記載の移動端末。
【請求項１５】
前記生成手段は、すべてのセルに対する前記アクセス許可がない場合、前記アクセス許可のあるセルがなかった旨を示す情報を前記第３のメッセージに含める請求項７に記載の移動端末。
【請求項１６】
移動端末のハンドオーバ先を特定するための処理を行うハンドオーバ先特定システムにおける前記移動端末が現在接続している基地局であって、
前記移動端末の接続対象となり得る複数の基地局によってそれぞれ形成されたアクセス可能な範囲を示すセルの受信品質が所定の条件を満たす場合、前記所定の条件を満たすセルの識別情報及び前記セルの受信品質の情報を含む第１のメッセージを前記移動端末から受信する受信手段と、
前記第１のメッセージに基づいて、前記受信品質が測定された前記セルのユニークなグローバル識別情報を検出させるための情報を含む第２のメッセージを生成する生成手段と、
生成された前記第２のメッセージを前記移動端末へ送信する送信手段とを、
備え、
前記生成手段は、前記移動端末において行われる前記セルの絞り込みに用いられる所定の閾値を前記第２のメッセージに含める基地局。
【請求項１７】
前記生成手段は、前記移動端末において前記アクセス許可のあるセルを検出できる時間を示すタイマーを設定させるために、タイマーの値及びいずれのタイマーの値を選択するべきかを判断するために必要なセル数の所定の閾値を含む第２のメッセージを生成する請求項１６に記載の基地局。
【請求項１８】
前記第１のメッセージに含まれる情報である、前記移動端末が保持する過去にアクセス許可があったセル情報の信頼性を示す信頼性情報に基づいて、前記セル情報の信頼性が低いか否かを判断する判断手段を更に備え、
前記信頼性が低いと判断された場合、前記生成手段は、前記グローバル識別情報の検出をさせるセルのセルリストを前記第２のメッセージに含める請求項１６に記載の基地局。
【請求項１９】
前記生成手段は、前記セルリストのセルの数に応じた、前記移動端末において前記アクセス許可のあるセルを検出できる時間を示すタイマー情報を含む前記第２のメッセージを生成する請求項１８に記載の基地局。
【発明の詳細な説明】
【技術分野】
【０００１】
本発明は、移動端末のハンドオーバ先を特定するための処理を行うハンドオーバ先特定システム、移動端末、及び基地局に関する。
【背景技術】
【０００２】
３ＧＰＰでは屋内用のホーム基地局（Home ｅＮＢ:以下、「ＨｅＮＢ」という）を設置してＣＳＧ（Closed Subscriber Group）セルを構築することが検討されている。図１７に示すように、通常の基地局(ｅＮＢ)が構築するセル（マクロセル）の中にＣＳＧセルが構築される。ＨｅＮＢはｅＮＢと異なり、アクセスできる端末（User Equipment：以下、「ＵＥ」という）を制限することができる機能が設けられており、ＵＥはアクセス許可のあるＨｅＮＢにしか接続できない。ＵＥは、緊急時を除き、どんなに受信品質のよいＨｅＮＢを検出してもアクセス許可がなければ接続できない。
【０００３】
ＵＥがＨｅＮＢのアクセス許可を確認するためにはＨｅＮＢから送信される報知情報に含まれるセル識別情報を確認する必要がある。各ＣＳＧセルはグループ単位でＣＳＧ ＩＤと呼ばれるＩＤを持ち、ＵＥに対してＣＳＧ ＩＤ単位でアクセス許可を与える。ＵＥはネットワークから通知されるアクセス可能なＣＳＧセルのＣＳＧ ＩＤリスト(アクセス許可リスト：ホワイトリスト)とＣＳＧセルの報知情報から受信したセル識別情報であるＣＳＧ ＩＤを照合して、検出したＣＳＧセルのＣＳＧ ＩＤがホワイトリストに含まれていればアクセス可能と判断する。
【０００４】
ＨｅＮＢはＨｅＮＢゲートウェイ（図１７では「ＨｅＮＢ ＧＷ」と記載）と呼ばれるゲートウェイまたはモビリティ管理装置（Mobility Management Entity：以下、「ＭＭＥ」という）につながる。ＭＭＥはネットワークのリソース確保や位置登録メッセージなどのＮＡＳメッセージの管理を行う。ホワイトリストの情報は個々の端末の情報であるため、セキュリティの観点から各家庭で所有されることを想定しているＨｅＮＢはホワイトリストの情報を持たない。一方、ＭＭＥはオペレータが管理するため、ホワイトリストを持つことができる。
【０００５】
すべてのセルは物理セルＩＤ（Physical Cell ID：ＰＣＩ）と呼ばれるセル識別情報を持っている。ＣＳＧセルに関しては図１８に示すようにＵＥが現在接続しているサービングセル(serving cell)付近で同じＰＣＩを持つＣＳＧセルが存在する場合がある。これはPCI collisionと呼ばれる。ＵＥは周辺セルからの信号の受信品質を測定し、周辺セルの受信品質がある条件をクリアした場合にトリガがかかる。これはイベントトリガ（Event trigger）と呼ばれる。トリガがかかると受信品質の良いセルのＰＣＩを測定結果報告メッセージ（measurement report）を使ってサービングセルに通知する。
【０００６】
サービングセルはこの受信品質情報をもとにハンドオーバ先を決定し、ハンドオーバ先セルにハンドオーバ要求メッセージ（Handover request:ＨＯ request）を送信する。この場合PCI collisionが発生するとサービングセルは誤ったセルにハンドオーバ要求メッセージを送信してしまう可能性がある。これがPCI confusionと呼ばれる。
【０００７】
PCI confusionを防ぐために、ＵＥはＣＳＧセルの報知メッセージからユニークなセル識別子であるセルグローバルID(ＣＧＩ)を検出して測定結果報告メッセージを使ってサービングセルに通知することでサービングセルはＣＳＧセルを特定している。ただし、ＣＧＩ検出には時間がかかるため、はじめに第１測定結果報告メッセージ（1st measurement report）で受信品質の良いセルのＰＣＩと測定した受信品質を通知し、サービングセルは受信した第１測定結果報告メッセージの中のＣＳＧセルの中からハンドオーバ先候補のセルを一つ選択し、そのＣＳＧセルのＣＧＩを検出するようＵＥに指示するためにＣＳＧセルのＰＣＩ及びＣＧＩ検出に必要な設定情報を含んだ測定用設定メッセージ(measurement configuration)をＵＥに送信する。
【０００８】
ＵＥは測定用設定メッセージに基づいて指示されたＣＳＧセルのＣＧＩ検出を行い、第２測定結果報告メッセージ(2nd measurement report)でサービングセルに検出したＣＧＩを通知する。上記の動作のシーケンスを図１９に示す。
【先行技術文献】
【非特許文献】
【０００９】
【非特許文献１】“Way forward for handover to HeNB”, 3GPP  TSG-RAN WG2 meeting #63寄書R2-084736
【発明の概要】
【発明が解決しようとする課題】
【００１０】
サービングセルはホワイトリストを持っていないため、ＵＥは第１、第２測定結果報告メッセージで通知されたＣＳＧセルに対してアクセス許可があるかどうかはＭＭＥ（あるいはＨｅＮＢゲートウェイ）に問い合わせるまでわからない。また、第２測定結果報告メッセージで通知されたＣＳＧセルに対してアクセス許可がない場合には再度測定用設定メッセージや（第３）測定結果報告メッセージが必要になる。これによりハンドオーバ処理時間が長くなってしまう。上記の課題が発生する際のシーケンスを図２０に示す。
【００１１】
本発明は、上記の問題点に鑑み、シグナリング量を削減でき、なおかつハンドオーバ処理時間を削減できるハンドオーバ先特定システム、移動端末、及び基地局を提供することを目的とする。
【課題を解決するための手段】
【００１２】
上記目的を達成するために、本発明によれば、移動端末のハンドオーバ先を特定するための処理を行うハンドオーバ先特定システムであって、前記移動端末の接続対象となり得る複数の基地局によってそれぞれ形成されたアクセス可能な範囲を示すセルの受信品質をそれぞれ測定し、測定された前記受信品質が所定の条件を満たす場合、前記所定の条件を満たすセルの識別情報及び前記セルの受信品質の情報を含む第１のメッセージを生成し、前記第１のメッセージを前記移動端末が現在接続している接続基地局へ送信する前記移動端末と、前記第１のメッセージに基づいて、前記受信品質が測定された前記セルのユニークなグローバル識別情報を検出させるための情報を含む第２のメッセージを生成し、前記第２のメッセージを前記移動端末へ送信する前記接続基地局とから構成され、前記移動端末が、前記第２のメッセージに基づいて、前記受信品質が測定されたセルの前記グローバル識別情報を検出し、検出された前記セルへのアクセス許可を確認し、アクセス許可が確認された場合に、前記アクセス許可のあるセルの前記グローバル識別情報を含む第３のメッセージを生成し、前記第３のメッセージを前記接続基地局へ送信するハンドオーバ先特定システムが提供される。この構成により、シグナリング量を削減でき、なおかつハンドオーバ処理時間を削減できる。ここで、移動端末は、例えば後述するようなセルラー通信における端末を言う。また、受信品質とは、例えば受信電力の大きさなどを言う。
【００１３】
また、本発明によれば、移動端末のハンドオーバ先を特定するための処理を行うハンドオーバ先特定システムにおける前記移動端末であって、前記移動端末の接続対象となり得る複数の基地局によってそれぞれ形成されたアクセス可能な範囲を示すセルの受信品質をそれぞれ測定する測定手段と、測定された前記受信品質が所定の条件を満たすか否かを判断する判断手段と、前記所定の条件を満たすと判断された場合、前記所定の条件を満たすセルの識別情報及び前記セルの受信品質の情報を含む第１のメッセージを生成する生成手段と、生成された前記第１のメッセージを前記移動端末自身が現在接続している接続基地局へ送信する送信手段と、前記第１のメッセージに基づいて、前記受信品質が測定された前記セルのユニークなグローバル識別情報を検出させるための情報を含む第２のメッセージを前記接続基地局から受信する受信手段と、受信した前記第２のメッセージに基づいて、前記受信品質が測定されたセルの前記グローバル識別情報を検出し、検出された前記セルへのアクセス許可を確認する処理手段とを備え、前記生成手段は、前記アクセス許可が確認された場合に、前記アクセス許可のあるセルの前記グローバル識別情報を含む第３のメッセージを生成し、前記送信手段は、生成された前記第３のメッセージを前記接続基地局へ送信する移動端末が提供される。この構成により、シグナリング量を削減でき、なおかつハンドオーバ処理時間を削減できる。
【００１４】
また、本発明によれば、移動端末のハンドオーバ先を特定するための処理を行うハンドオーバ先特定システムにおける前記移動端末が現在接続している基地局であって、前記移動端末の接続対象となり得る複数の基地局によってそれぞれ形成されたアクセス可能な範囲を示すセルの受信品質が所定の条件を満たす場合、前記所定の条件を満たすセルの識別情報及び前記セルの受信品質の情報を含む第１のメッセージを前記移動端末から受信する受信手段と、前記第１のメッセージに基づいて、前記受信品質が測定された前記セルのユニークなグローバル識別情報を検出させるための情報を含む第２のメッセージを生成する生成手段と、生成された前記第２のメッセージを前記移動端末へ送信する送信手段とを、備える基地局が提供される。この構成により、シグナリング量を削減でき、なおかつハンドオーバ処理時間を削減できる。
【発明の効果】
【００１５】
本発明のハンドオーバ先特定システム、移動端末、及び基地局は、上記構成を有し、シグナリング量を削減でき、なおかつハンドオーバ処理時間を削減できる。
【図面の簡単な説明】
【００１６】
【図１】本発明の第１の実施の形態における測定結果報告メッセージの処理シーケンスの一例を示すシーケンスチャート
【図２】本発明の第１の実施の形態に係るＵＥの構成の一例を示す構成図
【図３】本発明の第１の実施の形態に係る基地局（サービングセル）の構成の一例を示す構成図
【図４】本発明の第１の実施の形態における動作フローの一例を示すフローチャート
【図５】本発明の第２の実施の形態に係るＵＥの構成の一例を示す構成図
【図６】本発明の第２の実施の形態に係る基地局（サービングセル）の構成の一例を示す構成図
【図７】本発明の第２の実施の形態における動作フローの一例を示すフローチャート
【図８】本発明の第３の実施の形態に係るＵＥの構成の一例を示す構成図
【図９】本発明の第３の実施の形態に係る基地局（サービングセル）の構成の一例を示す構成図
【図１０】本発明の第３の実施の形態における動作フローの一例を示すフローチャート
【図１１】本発明の第４の実施の形態に係るＵＥの構成の一例を示す構成図
【図１２】本発明の第４の実施の形態における動作フローの一例を示すフローチャート
【図１３Ａ】本発明の第５の実施の形態における動作フローの一例の一部を示すフローチャート
【図１３Ｂ】本発明の第５の実施の形態における動作フローの一例の一部を示すフローチャート
【図１４】本発明の第５の実施の形態に係るＵＥの構成の一例を示す構成図
【図１５】本発明の第５の実施の形態に係る基地局（サービングセル）の構成の一例を示す構成図
【図１６Ａ】本発明の第５の実施の形態における他の動作フローの一例の一部を示すフローチャート
【図１６Ｂ】本発明の第５の実施の形態における他の動作フローの一例の一部を示すフローチャート
【図１７】従来のＣＳＧセルシステムの構成の一例を示す構成図
【図１８】従来のＰＣＩ  Confusion（混乱）を説明するための図
【図１９】従来の測定結果報告メッセージの処理シーケンスの一例を示すシーケンスチャート
【図２０】従来の課題を説明するためのシーケンスチャート
【発明を実施するための形態】
【００１７】
＜第１の実施の形態＞
本発明の第１の実施の形態について説明する。この実施の形態でのポイントはＵＥが保持している過去に検出したセル情報（fingerprint）を用いて、アクセス許可のある可能性の高いＣＳＧセルに絞り込んでＣＧＩ検出をすることがポイントである。具体的にはＵＥが保持する過去のセル情報から過去アクセス許可があった、つまり現時点でもアクセス許可がある可能性の高いＣＳＧセルであり、かつ第１測定結果報告メッセージ送信のためにＵＥが測定した周辺ＣＳＧセルに対して受信品質の高いＣＳＧセルを選択する。
【００１８】
ここで、一例として、過去にＵＥが検出したセル情報には過去にＵＥが検出したセルの中でアクセス可能であったＣＳＧセルのＰＣＩのリストが含まれているとする。このセル情報にはＰＣＩ以外にもＣＳＧセルの識別情報であるＣＳＧ ＩＤやＣＧＩを含めてもよいし、また過去にアクセス不許可であったＣＳＧセルのＰＣＩ、ＣＳＧ ＩＤ、ＣＧＩを保持してもよい。サービングセルは、第１測定結果報告メッセージの受信（ステップＳ１０１）に基づいて、測定用設定メッセージに従来のメッセージには含んでいたＣＧＩ検出するＣＳＧセルのセルＩＤ（ＰＣＩ）を含めずに測定に必要な設定情報のみを入れてＵＥに送信する（ステップＳ１０２）。
【００１９】
測定用設定メッセージを受信したＵＥは先に選択したＣＳＧセルの中で受信品質の高いものからＣＧＩ検出及びアクセス確認を実行し（ステップＳ１０３）、ＣＳＧセルのアクセス許可を確認した時点で、すべてのＣＳＧセルのＣＧＩ検出を待たずに即座に第２測定結果報告メッセージを用いてアクセス許可のあるＣＳＧセルのＣＧＩをサービングセルに通知する（ステップＳ１０４）。この実施の形態により、従来技術のようにアクセス許可がないＣＳＧセルに対して測定用設定メッセージや測定結果報告メッセージを何度も送信することがなくなるため、シグナリング量が削減でき、なおかつハンドオーバ処理時間が削減できる。なお、上述した動作のシーケンスを図１に示す。
【００２０】
ここで、本発明の第１の実施の形態に係るＵＥの構成の一例を図２に示す。ＵＥは、制御部２０１、基地局通信ＩＦ２０２、セル情報格納部２０３から構成されている。また、さらに、制御部２０１は、測定（Measurement）部（イベント判定部）２０４、第１測定結果報告メッセージ生成部２０５、測定用設定メッセージ（Measurement Configuration）受信部２０６、処理部（セルＩＤ検出及びアクセス許可確認部）２０７、第２測定結果報告メッセージ生成部２０８、ＣＳＧセル選択部２０９から構成されている。
【００２１】
測定部２０４は、周辺セルからの信号の受信品質を測定するものである。第１測定結果報告メッセージ生成部２０５は、測定された情報に基づいて、受信品質の良いセルのＰＣＩを含めた第１測定結果報告メッセージを生成するものである。測定用設定メッセージ受信部２０６は、ＣＧＩ検出に必要な設定情報を含んだ測定用設定メッセージをサービングセルから受信するものである。処理部２０７は、先に選択したＣＳＧセルの中で受信品質の高いものからＣＧＩ検出及びアクセス確認を実行するものである。
【００２２】
第２測定結果報告メッセージ生成部２０８は、アクセス許可のあるＣＳＧセルのＣＧＩを含む第２測定結果報告メッセージを生成するものである。ＣＳＧセル選択部２０９は、現時点でもアクセス許可がある可能性の高いＣＳＧセルであり、かつ第１測定結果報告メッセージ送信のために測定した周辺ＣＳＧセルに対して受信品質の高いＣＳＧセルを選択するものである。基地局通信ＩＦ２０２は、ＵＥとサービングセルとの間で行われるメッセージの送受信を行うインタフェースである。セル情報格納部２０３は、現時点でもアクセス許可がある可能性の高いＣＳＧセルの情報を格納するものである。
【００２３】
このように、所定の情報に基づいてグローバル識別情報（ＣＧＩ）の検出を行うセルを絞り込むセル選択手段（ＣＳＧセル選択部２０９）を更に備え、処理手段（処理部２０７）が、絞り込まれたセルの中からグローバル識別情報を検出し、検出されたグローバル識別情報に該当するセルのアクセス許可を確認することは、本発明の好ましい態様である。この構成により、グローバル識別情報の検出を効率よく行うことができる。また、上述した所定の情報が、移動端末（ＵＥ）が保持している、過去にアクセス許可があったセル情報であることは、本発明の好ましい態様である。この構成により、アクセス許可される可能性をあげることができる。
【００２４】
また、第１の実施の形態に係る基地局（サービングセル）の構成の一例を図３に示す。基地局は、制御部３０１と端末通信ＩＦ３０２から構成されている。また、さらに制御部３０１は、第１測定結果報告メッセージ受信部（ＣＳＧセル有無判定部）３０３、測定用設定メッセージ生成部３０４、第２測定結果報告メッセージ受信部３０５から構成されている。第１測定結果報告メッセージ受信部３０３は、ＵＥから送信される第１測定結果報告メッセージを受信するものである。測定用設定メッセージ生成部３０４は、ＣＧＩ検出に必要な設定情報を含んだ測定用設定メッセージを生成するものである。第２測定結果報告メッセージ受信部３０５は、第２測定結果報告メッセージを受信するものである。端末通信ＩＦ３０２は、サービングセルとＵＥとの間で行われるメッセージの送受信を行うインタフェースである。
【００２５】
ここで、本発明の第１の実施の形態における処理フローの一例を図４に示す。ＵＥは、周辺セルからの信号の受信品質を測定する（ステップＳ４０１）。そして、イベントトリガがかかったか否かを判断する（ステップＳ４０２）。イベントトリガがかかった場合、ＣＳＧセルがトリガしたか否かを判断する（ステップＳ４０３）。トリガした場合、第１測定結果報告メッセージを生成する（ステップＳ４０４）。そして、生成された第１測定結果報告メッセージをサービングセルへ送信する（ステップＳ４０５）。その後、ＣＳＧセルを選択する（ステップＳ４０６）。
【００２６】
そして、ＵＥが測定用設定メッセージ（Measurement configuration）をサービングセルから受信すると、先に選択したＣＳＧセルの中で受信品質の高いものからＣＧＩ検出及びアクセス確認を実行する（ステップＳ４０７）。アクセス許可があるか否かを判断し（ステップＳ４０８）、アクセス許可があれば、アクセス許可のあるＣＳＧセルのＣＧＩを含む第２測定結果報告メッセージを生成し（ステップＳ４０９）、そのメッセージをサービングセルへ送信する（ステップＳ４１０）。
【００２７】
一方、サービングセルは、ステップＳ４０５において送信される第１測定結果報告メッセージを受信すると、そのメッセージにＣＳＧセルが含まれているか否かを判断する（ステップＳ４１１）。ＣＳＧセルを含む場合、測定用設定メッセージを生成し（ステップＳ４１２）、それをＵＥへ送信する（ステップＳ４１３）。なお、ステップＳ４０３及びステップＳ４１１において、ＣＳＧセルがトリガしない、ＣＳＧセルを含まないとそれぞれ判断された場合には、従来の処理が行われる。
【００２８】
＜第２の実施の形態＞
第１の実施の形態は、ＵＥが過去に検出したセル情報からアクセス許可がある可能性の高いＣＳＧセルからの信号の受信品質が良いＣＳＧセルから順にＣＧＩ検出及びアクセス許可の確認を実行していた。しかし、ハンドオーバ先となるセルはある程度の受信品質が必要である。第２の実施の形態では、受信品質が閾値Ｒｔｈ以上のＣＳＧセルに絞り込んでＣＧＩ検出及びアクセス許可の確認を実行する点がポイントである。
【００２９】
具体的には、まず第１の実施の形態と同様にＵＥが持つセル情報をもとにＵＥがアクセス許可の可能性の高いセルを選択する。サービングセルは第１測定結果報告メッセージにＣＳＧセルが含まれていた場合に測定用設定メッセージに受信品質の閾値Ｒｔｈを追加して送信する。測定用設定メッセージを受信したＵＥは閾値Ｒｔｈを使って受信品質に基づいてセルを絞り込む。絞り込んだセルに対して受信品質の高いセルからＣＧＩ検出及びアクセス許可の確認を実行する。第１の実施の形態と同様にＣＳＧセルのアクセス許可を確認した時点で、すべてのＣＳＧセルのＣＧＩ検出を待たずに即座に第２測定結果報告メッセージを用いてアクセス許可のあるＣＳＧセルのＣＧＩをサービングセルに通知する。
【００３０】
また、絞り込んだＣＳＧセルすべてのアクセス許可を確認後、アクセス許可のあるＣＳＧセルがない場合にはセル情報の信頼性が低いと考えられるのでアクセス許可の可能性が低いＣＳＧセルに対しても受信品質の閾値Ｒｔｈを満たせばＣＧＩ検出及びアクセス許可の確認を実行する。すべてのＣＳＧセルにアクセス許可がない場合には第２測定結果報告メッセージを用いてアクセス許可のあるＣＳＧセルがないことを示す情報（例えば、アクセス不許可フラグ）を挿入してサービングセルに通知する。この情報を受信したサービングセルはマクロセルあるいは異なる周波数のセルへのハンドオーバを試みる。
【００３１】
なお、閾値Ｒｔｈは測定用設定メッセージを使ってサービングセルからＵＥ個別に通知してもよいし、報知情報として通知してもよいし、ＵＥ自身があらかじめ保持していてもよい。第２の実施の形態により、ハンドオーバできる見込みのない受信品質の低いＣＳＧセルに対してＣＧＩ検出やアクセス確認処理をすることがなくなり、無駄な測定用設定メッセージを送信することがなくなる。また、アクセス不許可フラグを導入することで、サービングセルが早く別のセルへのハンドオーバ処理を開始することができる。
【００３２】
図５は第２の実施の形態において、閾値Ｒｔｈを測定用設定メッセージでＵＥ個別に通知する場合のＵＥの構成の一例を示す図である。図５を用いて第２の実施の形態に係るＵＥについて説明する。ＵＥは、制御部５０１、基地局通信ＩＦ５０２、セル情報格納部５０３から構成されている。また、さらに、制御部５０１は、測定（Measurement）部（イベント判定部）５０４、第１測定結果報告メッセージ生成部５０５、測定用設定メッセージ（Measurement Configuration）受信部５０６、処理部（セルＩＤ検出及びアクセス許可確認部）５０７、第２測定結果報告メッセージ生成部５０８、ＣＳＧセル選択部５０９から構成されている。
【００３３】
測定部５０４は、周辺セルからの信号の受信品質を測定するものである。第１測定結果報告メッセージ生成部５０５は、測定された情報に基づいて、受信品質の良いセルのＰＣＩを含めた第１測定結果報告メッセージを生成するものである。測定用設定メッセージ受信部５０６は、ＣＧＩ検出に必要な設定情報に閾値Ｒｔｈを含めた測定用設定メッセージをサービングセルから受信するものである。処理部５０７は、閾値Ｒｔｈを使って受信品質に基づいてセルを絞り込み、絞り込んだセルに対して受信品質の高いセルからＣＧＩ検出及びアクセス許可の確認を実行するものである。また、処理部５０７は、絞り込んだＣＳＧセルすべてのアクセス許可を確認後、アクセス許可のあるＣＳＧセルがない場合にはセル情報の信頼性が低いと考えられるのでアクセス許可の可能性が低いＣＳＧセルに対しても受信品質の閾値Ｒｔｈを満たせばＣＧＩ検出及びアクセス許可の確認を実行する。
【００３４】
第２測定結果報告メッセージ生成部５０８は、アクセス許可のあるＣＳＧセルのＣＧＩを含む第２測定結果報告メッセージを生成するものである。また、第２測定結果報告メッセージ生成部５０８は、すべてのＣＳＧセルにアクセス許可がない場合にはアクセス許可のあるＣＳＧセルがないことを示す情報（例えば、アクセス不許可フラグ）を挿入した第２測定結果報告メッセージを生成する。すなわち、生成手段（第２測定結果報告メッセージ生成部５０８）が、すべてのセルに対する前記アクセス許可がない場合、前記アクセス許可のあるセルがなかった旨を示す情報を第３のメッセージ（第２測定結果報告メッセージ）に含めることは、本発明の好ましい態様である。この構成により、早期にマクロセル又は異なる周波数のセルへのハンドオーバを試みることができる。
【００３５】
ＣＳＧセル選択部５０９は、第１の実施の形態と同様、現時点でもアクセス許可がある可能性の高いＣＳＧセルであり、かつ第１測定結果報告メッセージ送信のために測定した周辺ＣＳＧセルに対して受信品質の高いＣＳＧセルを選択するものである。基地局通信ＩＦ５０２は、ＵＥとサービングセルとの間で行われるメッセージの送受信を行うインタフェースである。セル情報格納部５０３は、現時点でもアクセス許可がある可能性の高いＣＳＧセルの情報を格納するものである。
【００３６】
このように、処理手段（処理部５０７）が、所定の情報に基づいて絞り込まれたセルのうち、受信品質が接続基地局（サービングセル）によって第２のメッセージ（測定用設定メッセージ）に含められた所定の閾値（Ｒｔｈ）以上のセルに対してグローバル識別情報を検出し、検出されたグローバル識別情報に該当するセルのアクセス許可を確認することは、本発明の好ましい態様である。この構成により、受信品質のよいセルのグローバル識別情報の検出を効率よく行うことができる。
【００３７】
図６は基地局（サービングセル）の構成の一例を示す図である。図６を用いて第２の実施の形態に係る基地局について説明する。基地局は、制御部６０１と端末通信ＩＦ６０２から構成されている。また、さらに制御部６０１は、第１測定結果報告メッセージ受信部（ＣＳＧセル有無判定部）６０３、測定用設定メッセージ生成部６０４、第２測定結果報告メッセージ受信部６０５、他セル選択部６０６から構成されている。第１測定結果報告メッセージ受信部６０３は、ＵＥから送信される第１測定結果報告メッセージを受信するものである。測定用設定メッセージ生成部６０４は、ＣＧＩ検出に必要な設定情報に閾値Ｒｔｈを含めた測定用設定メッセージを生成するものである。なお、生成手段（測定用設定メッセージ生成部６０４）が、移動端末において行われるセルの絞り込みに用いられる所定の閾値（Ｒｔｈ）を第２のメッセージに含めることは、本発明の好ましい態様である。この構成により、グローバル識別情報の検出を効率よく行うことができる。第２測定結果報告メッセージ受信部６０５は、第２測定結果報告メッセージを受信するものである。他セル選択部６０６は第２測定結果報告メッセージにアクセス不許可フラグが含まれる場合に次のハンドオーバ先候補になるマクロセルあるいは異なる周波数のセルを選択する。端末通信ＩＦ６０２は、サービングセルとＵＥとの間で行われるメッセージの送受信を行うインタフェースである。
【００３８】
ここで、本発明の第２の実施の形態における処理フローの一例を図７に示す。ＵＥは、周辺セルからの信号の受信品質を測定する（ステップＳ７０１）。そして、イベントトリガがかかったか否かを判断する（ステップＳ７０２）。イベントトリガがかかった場合、ＣＳＧセルがトリガしたか否かを判断する（ステップＳ７０３）。トリガした場合、第１測定結果報告メッセージを生成する（ステップＳ７０４）。そして、生成された第１測定結果報告メッセージをサービングセルへ送信する（ステップＳ７０５）。その後、ＣＳＧセルを選択する（ステップＳ７０６）。
【００３９】
そして、ＵＥが閾値Ｒｔｈを含む測定用設定メッセージ（Measurement configuration）をサービングセルから受信すると、閾値Ｒｔｈを使って受信品質に基づいてＣＳＧセルを絞り込み（ステップＳ７０７）、絞り込んだセルに対して受信品質の高いセルからＣＧＩ検出及びアクセス許可の確認を実行する（ステップＳ７０８）。アクセス許可があるか否かを判断し（ステップＳ７０９）、アクセス許可があれば、アクセス許可のあるＣＳＧセルのＣＧＩを含む第２測定結果報告メッセージを生成し（ステップＳ７１０）、そのメッセージをサービングセルへ送信する（ステップＳ７１１）。
【００４０】
ステップＳ７０９において、アクセス許可がないと判断された場合、すべてのＣＳＧセルのアクセス許可の確認が済んでいるか否かを判断し（ステップＳ７１２）、済んでいる場合、例えばアクセス不許可フラグを含む第２測定結果報告メッセージを生成する（ステップＳ７１３）。
【００４１】
一方、サービングセルは、ステップＳ７０５において送信される第１測定結果報告メッセージを受信すると、そのメッセージにＣＳＧセルが含まれているか否かを判断する（ステップＳ７１４）。ＣＳＧセルを含む場合、閾値Ｒｔｈを含む測定用設定メッセージを生成し（ステップＳ７１５）、それをＵＥへ送信する（ステップＳ７１６）。また、ステップＳ７１１において送信される第２測定結果報告メッセージを受信し、第２測定結果報告メッセージの中にアクセス不許可フラグが含まれるかどうか判断し（ステップＳ７１７）、含まれる場合は、次のハンドオーバ先候補になるマクロセルあるいは異なる周波数のセルを選択する。（ステップＳ７１８）。なお、ステップＳ７０３及びステップＳ７１４において、ＣＳＧセルがトリガしない、ＣＳＧセルを含まないとそれぞれ判断された場合には、従来の処理が行われる。
【００４２】
＜第３の実施の形態＞
第１、第２の実施の形態では、ＵＥが持つセル情報の信頼性が低い場合には、実際にはアクセス許可のないＣＳＧセルをアクセス許可がある可能性が高いＣＳＧセルとして処理してしまう可能性が高くなる。第３の実施の形態では、ＵＥが保持する過去のセル情報の信頼性を判断し、信頼性に応じてＣＧＩ検出及びアクセス許可の確認をする対象のＣＳＧセルの絞り込み方法を変えることがポイントである。
【００４３】
具体的には、まずＣＳＧセルがイベントトリガ（event trigger）した場合、つまり第１測定結果報告メッセージにＣＳＧセルが含まれる場合に、この第１測定結果報告メッセージにＵＥが保持するセル情報に対する信頼性情報を付加してサービングセルに通知する。ここで、一例としてＵＥが持つセル情報の信頼性はセル情報に含まれるＣＳＧセルうち、最も古い検出時点からの経過時間で評価するものとする。検出時点からある一定時間Ｔを経過したものは信頼性が低いと判断し、Ｔを経過していない場合は信頼性が高いと判断する。
【００４４】
Ｔはサービングセルから報知情報や測定用設定メッセージでＵＥに通知してもよいし、ＵＥがはじめから保持していてもよい。信頼性の判定は上記以外にも、セル情報の変更履歴を記録することでセル情報の変更頻度に応じて信頼性を判断することもできる。例えば、ある一定期間の変更頻度が閾値Ｎより大きい場合は信頼性が低いと判断でき、変更頻度が閾値Ｎより小さい場合は信頼性が高いと判断できる。
【００４５】
信頼性が高い場合には第１、第２の実施の形態を適用する。信頼性が低い場合にはサービングセルは測定用設定メッセージにＣＧＩ検出させるＣＳＧセルのＰＣＩのリスト（ＰＣＩリスト）を挿入する。このＰＣＩリストは、例えば第１測定結果報告メッセージで通知されたＣＳＧセルの中から閾値Ｒｔｈ以上の受信品質を持つＣＳＧセルのＰＣＩを受信品質の良い順にリスト化したものである。ＵＥはＰＣＩリストを参照して受信品質のよいＣＳＧから順にＣＧＩ検出及びアクセス許可の確認を実行し、ＣＧＩ検出したＣＳＧセルのアクセス許可を確認した時点でアクセス許可のあるＣＳＧセルのＣＧＩを第２測定結果報告メッセージでサービングセルに通知する。
【００４６】
このように、生成手段（第１測定結果報告メッセージ生成部８０５）が、移動端末が保持する、過去にアクセス許可があったセル情報の信頼性を示す信頼性情報を第１のメッセージ（第１測定結果報告メッセージ）に含め、受信手段（測定用設定メッセージ受信部８０６）が、信頼性情報に基づいて接続基地局によって送信された、グローバル識別情報を検出させるセルのセルリストを含む第２のメッセージを受信し、処理手段（処理部８０７）が、セルリストに基づいてグローバル識別情報を検出し、検出されたグローバル識別情報に該当するセルのアクセス許可を確認することは、本発明の好ましい態様である。この構成により、グローバル識別情報の検出を特定のセルに限定して行うことができる。
【００４７】
第３の実施の形態により、ＵＥは信頼性の低いセル情報を用いてＣＧＩ検出及びアクセス許可の確認をするのを防ぐことができる。図８は第３の実施の形態に係るＵＥの構成の一例を示す図である。図８を用いて第３の実施の形態に係るＵＥについて説明する。ＵＥは、制御部８０１、基地局通信ＩＦ８０２、セル情報格納部８０３から構成されている。また、さらに、制御部８０１は、測定（Measurement）部（イベント判定部）８０４、第１測定結果報告メッセージ生成部８０５、測定用設定メッセージ（Measurement Configuration）受信部８０６、処理部（セルＩＤ検出及びアクセス許可確認部）８０７、第２測定結果報告メッセージ生成部８０８、ＣＳＧセル選択部８０９、信頼性判定部８１０から構成されている。
【００４８】
測定部８０４は、周辺セルからの信号の受信品質を測定するものである。第１測定結果報告メッセージ生成部８０５は、測定された情報に基づいて、受信品質の良いセルのＰＣＩを含め、さらにＵＥが保持するセル情報に対する信頼性情報を付加した第１測定結果報告メッセージを生成するものである。測定用設定メッセージ受信部８０６は、ＣＧＩ検出に必要な設定情報にＰＣＩリストを含めた測定用設定メッセージをサービングセルから受信するものである。処理部８０７は、ＰＣＩリストを参照して受信品質のよいＣＳＧから順にＣＧＩ検出及びアクセス許可の確認を実行するものである。また、処理部８０７は、絞り込んだＣＳＧセルすべてのアクセス許可を確認後、アクセス許可のあるＣＳＧセルがない場合にはセル情報の信頼性が低いと考えられるのでアクセス許可の可能性が低いＣＳＧセルに対しても受信品質の閾値Ｒｔｈを満たせばＣＧＩ検出及びアクセス許可の確認を実行する。
【００４９】
第２測定結果報告メッセージ生成部８０８は、アクセス許可のあるＣＳＧセルのＣＧＩを含む第２測定結果報告メッセージを生成するものである。また、第２測定結果報告メッセージ生成部８０８は、すべてのＣＳＧセルにアクセス許可がない場合にはアクセス許可のあるＣＳＧセルがないことを示す情報（例えば、アクセス不許可フラグ）を挿入した第２測定結果報告メッセージを生成する。
【００５０】
ＣＳＧセル選択部８０９はＣＳＧセルを選択するものである。信頼性判定部８１０は、ＵＥが保持するセル情報に対する信頼性を判定するものである。基地局通信ＩＦ８０２は、ＵＥとサービングセルとの間で行われるメッセージの送受信を行うインタフェースである。セル情報格納部８０３は、現時点でもアクセス許可がある可能性の高いＣＳＧセルの情報を格納するものである。
【００５１】
図９は第３の実施の形態に係る基地局（サービングセル）の構成の一例を示す図である。図９を用いて第３の実施の形態に係る基地局について説明する。基地局は、制御部９０１と端末通信ＩＦ９０２から構成されている。また、さらに制御部９０１は、第１測定結果報告メッセージ受信部（ＣＳＧセル有無判定部）９０３、測定用設定メッセージ生成部９０４、第２測定結果報告メッセージ受信部９０５、信頼性判定部９０６、処理部（ＣＳＧセル選択及びＰＣＩリスト生成部）９０７、他セル選択部９０８から構成されている。
【００５２】
第１測定結果報告メッセージ受信部９０３は、ＵＥから送信される第１測定結果報告メッセージを受信するものである。測定用設定メッセージ生成部９０４は、ＣＧＩ検出に必要な設定情報にＰＣＩリストを含めた測定用設定メッセージを生成するものである。第２測定結果報告メッセージ受信部９０５は、第２測定結果報告メッセージを受信するものである。他セル選択部９０８は第２測定結果報告メッセージにアクセス不許可フラグが含まれる場合に次のハンドオーバ先候補になるマクロセルあるいは異なる周波数のセルを選択する。端末通信ＩＦ９０２は、サービングセルとＵＥとの間で行われるメッセージの送受信を行うインタフェースである。信頼性判定部９０６はセル情報に対する信頼性を判定するものである。処理部９０７は、ＣＧＩ検出させるＣＳＧセルを選択し、そのＣＳＧセルのＰＣＩのリスト（ＰＣＩリスト）を生成するものである。
【００５３】
このように、第１のメッセージに含まれる情報である、移動端末が保持する過去にアクセス許可があったセル情報の信頼性を示す信頼性情報に基づいて、セル情報の信頼性が低いか否かを判断する判断手段（信頼性判定部９０６）を更に備え、信頼性が低いと判断された場合、生成手段（測定用設定メッセージ生成部９０４）が、グローバル識別情報の検出をさせるセルのセルリストを第２のメッセージに含めることは、本発明の好ましい態様である。この構成により、グローバル識別情報の検出を特定のセルに限定して行うことができる。
【００５４】
ここで、本発明の第３の実施の形態における処理フローの一例を図１０に示す。ＵＥは、周辺セルからの信号の受信品質を測定する（ステップＳ１００１）。そして、イベントトリガがかかったか否かを判断する（ステップＳ１００２）。イベントトリガがかかった場合、ＣＳＧセルがトリガしたか否かを判断する（ステップＳ１００３）。トリガした場合、保持するセル情報の信頼性を判定する（ステップＳ１００４）。そして、受信品質の良いセルのＰＣＩを含め、さらにＵＥが保持するセル情報に対する信頼性情報を付加した第１測定結果報告メッセージを生成する（ステップＳ１００５）。そして、生成された第１測定結果報告メッセージをサービングセルへ送信する（ステップＳ１００６）。その後、セル情報の信頼性が低いか否かを判断する（ステップＳ１００７）。
【００５５】
そして、セルの信頼性が低い場合、ＵＥがＰＣＩリストを含む測定用設定メッセージ（Measurement configuration）をサービングセルから受信すると、ＰＣＩリストを参照して受信品質のよいＣＳＧから順にＣＧＩ検出及びアクセス許可の確認を実行する（ステップＳ１００８）。アクセス許可があるか否かを判断し（ステップＳ１００９）、アクセス許可があれば、アクセス許可のあるＣＳＧセルのＣＧＩを含む第２測定結果報告メッセージを生成し（ステップＳ１０１０）、そのメッセージをサービングセルへ送信する（ステップＳ１０１１）。
【００５６】
ステップＳ１００９において、アクセス許可がないと判断された場合、すべてのＣＳＧセルのアクセス許可の確認が済んでいるか否かを判断し（ステップＳ１０１２）、済んでいる場合、例えばアクセス不許可フラグを含む第２測定結果報告メッセージを生成する（ステップＳ１０１３）。
【００５７】
一方、サービングセルは、ステップＳ１００６において送信される第１測定結果報告メッセージを受信すると、そのメッセージに信頼性フラグが含まれているか否かを判断する（ステップＳ１０１４）。信頼性フラグを含む場合、セルの信頼性が低いか否かを判定する（ステップＳ１０１５）。信頼性が低い場合、ＣＧＩ検出させるＣＳＧセルを選択し、そのＣＳＧセルのＰＣＩのリスト（ＰＣＩリスト）を生成する（ステップＳ１０１６）。ＣＧＩ検出に必要な設定情報にＰＣＩリストを含めた測定用設定メッセージを生成し（ステップＳ１０１７）、それをＵＥへ送信する（ステップＳ１０１８）。また、ステップＳ１０１１において送信される第２測定結果報告メッセージを受信し、第２測定結果報告メッセージの中にアクセス不許可フラグが含まれるかどうか判断し（ステップＳ１０１９）、含まれる場合は、次のハンドオーバ先候補になるマクロセルあるいは異なる周波数のセルを選択する。（ステップＳ１０２０）。なお、ステップＳ１００３及びステップＳ１０１４において、ＣＳＧセルがトリガしない、信頼性フラグを含まないとそれぞれ判断された場合には、従来の処理が行われる。また、ステップＳ１００７及びステップＳ１０１５において、信頼性が高いと判定された場合には、第１又は第２の実施の形態の処理を行う。
【００５８】
＜第４の実施の形態＞
第３の実施の形態では、ＵＥが持つセル情報の信頼性が低い場合は、ＵＥはサービングセルが作成したＰＣＩリストに基づいてＣＧＩ検出及びアクセス許可の確認を実行していた。第４の実施の形態では、ＵＥが第１測定結果報告メッセージ送信のために測定したセル情報を使用してＣＧＩ検出及びアクセス許可の確認を実行する点がポイントである。なお、第４の実施の形態では、第３の実施の形態とは異なりセル情報の信頼性情報を第１測定結果報告メッセージでサービングセルに通知する必要はない。
【００５９】
具体的にはＵＥがセル情報の信頼性を評価し、信頼性が高い場合には第１又は第２の実施の形態を適用する。信頼性が低い場合には、サービングセルが、第１測定結果報告メッセージにＣＳＧセルが含まれていた場合に測定用設定メッセージに受信品質の閾値Ｒｔｈを追加して送信する。ＵＥはＵＥ自身が持つセル情報を使用せず、第１測定結果報告メッセージ送信のためにＵＥが測定したＣＳＧセルの中から、閾値Ｒｔｈを越える受信品質を持つＣＳＧセルを絞り込む。
【００６０】
次に、選択したＣＳＧセルを受信品質の良い順にＣＧＩ検出及びアクセス許可の確認を実行し、ＣＧＩ検出したＣＳＧセルのアクセス許可を確認した時点でアクセス許可のあるＣＳＧセルのＣＧＩを第２測定結果報告メッセージでサービングセルに通知する。第４の実施の形態により、ＵＥは信頼性の低いセル情報を用いてＣＧＩ検出及びアクセス許可の確認をするのを防ぐことができる。
【００６１】
図１１は第４の実施の形態に係るＵＥの構成の一例を示す図である。図１１を用いて第４の実施の形態に係るＵＥについて説明する。なお、第４の実施の形態に係る基地局（サービングセル）の構成は第２の実施の形態と同様であるため、説明は省略する。ＵＥは、制御部１１０１、基地局通信ＩＦ１１０２、セル情報格納部１１０３から構成されている。また、さらに、制御部１１０１は、測定（Measurement）部（イベント判定部）１１０４、第１測定結果報告メッセージ生成部１１０５、測定用設定メッセージ（Measurement Configuration）受信部１１０６、処理部（セルＩＤ検出及びアクセス許可確認部）１１０７、第２測定結果報告メッセージ生成部１１０８、ＣＳＧセル選択部１１０９、信頼性判定部１１１０から構成されている。
【００６２】
測定部１１０４は、周辺セルからの信号の受信品質を測定するものである。第１測定結果報告メッセージ生成部１１０５は、測定された情報に基づいて、受信品質の良いセルのＰＣＩを含めた第１測定結果報告メッセージを生成するものである。測定用設定メッセージ受信部１１０６は、ＣＧＩ検出に必要な設定情報に受信品質の閾値Ｒｔｈを含めた測定用設定メッセージをサービングセルから受信するものである。ＣＳＧセル選択部１１０９は、ＵＥ自身が持つセル情報を使用せず、第１測定結果報告メッセージ送信のためにＵＥが測定したＣＳＧセルの中から、閾値Ｒｔｈを越える受信品質を持つＣＳＧセルを絞り込む。
【００６３】
処理部１１０７は、選択したＣＳＧセルを受信品質の良い順にＣＧＩ検出及びアクセス許可の確認を実行するものである。また、処理部１１０７は、絞り込んだＣＳＧセルすべてのアクセス許可を確認後、アクセス許可のあるＣＳＧセルがない場合にはセル情報の信頼性が低いと考えられるのでアクセス許可の可能性が低いＣＳＧセルに対しても受信品質の閾値Ｒｔｈを満たせばＣＧＩ検出及びアクセス許可の確認を実行する。
【００６４】
第２測定結果報告メッセージ生成部１１０８は、アクセス許可のあるＣＳＧセルのＣＧＩを含む第２測定結果報告メッセージを生成するものである。また、第２測定結果報告メッセージ生成部１１０８は、すべてのＣＳＧセルにアクセス許可がない場合にはアクセス許可のあるＣＳＧセルがないことを示す情報（例えば、アクセス不許可フラグ）を挿入した第２測定結果報告メッセージを生成する。
【００６５】
信頼性判定部１１１０は、ＵＥが保持するセル情報の信頼性を判定するものである。基地局通信ＩＦ１１０２は、ＵＥとサービングセルとの間で行われるメッセージの送受信を行うインタフェースである。セル情報格納部１１０３は、現時点でもアクセス許可がある可能性の高いＣＳＧセルの情報を格納するものである。
【００６６】
このように、処理手段（処理部１１０７）が、受信品質を測定したセルのうち、受信品質が接続基地局によって第２のメッセージに含まれた所定の閾値（Ｒｔｈ）以上のセルに対してグローバル識別情報を検出し、検出されたグローバル識別情報に該当するセルのアクセス許可を確認することは、本発明の好ましい態様である。この構成により、受信品質のよいセルのグローバル識別情報の検出を効率よく行うことができる。
【００６７】
ここで、本発明の第４の実施の形態における処理フローの一例を図１２に示す。ＵＥは、周辺セルからの信号の受信品質を測定する（ステップＳ１２０１）。そして、イベントトリガがかかったか否かを判断する（ステップＳ１２０２）。イベントトリガがかかった場合、ＣＳＧセルがトリガしたか否かを判断する（ステップＳ１２０３）。トリガした場合、保持するセル情報の信頼性を判定する（ステップＳ１２０４）。そして、受信品質の良いセルのＰＣＩを含めた第１測定結果報告メッセージを生成する（ステップＳ１２０５）。そして、生成された第１測定結果報告メッセージをサービングセルへ送信する（ステップＳ１２０６）。その後、セル情報の信頼性が低いか否かを判断する（ステップＳ１２０７）。
【００６８】
そして、セル情報の信頼性が低い場合、ＵＥがＰＣＩリストを含む測定用設定メッセージ（Measurement configuration）をサービングセルから受信すると、第１測定結果報告メッセージ送信のためにＵＥが測定したＣＳＧセルの中から、閾値Ｒｔｈを越える受信品質を持つＣＳＧセルを絞り込む（ステップＳ１２０８）。選択したＣＳＧセルを受信品質の良い順にＣＧＩ検出及びアクセス許可の確認を実行する（ステップＳ１２０９）。アクセス許可があるか否かを判断し（ステップＳ１２１０）、アクセス許可があれば、アクセス許可のあるＣＳＧセルのＣＧＩを含む第２測定結果報告メッセージを生成し（ステップＳ１２１１）、そのメッセージをサービングセルへ送信する（ステップＳ１２１２）。
【００６９】
ステップＳ１２１０において、アクセス許可がないと判断された場合、すべてのＣＳＧセルのアクセス許可の確認が済んでいるか否かを判断し（ステップＳ１２１３）、済んでいる場合、例えばアクセス不許可フラグを含む第２測定結果報告メッセージを生成する（ステップＳ１２１４）。
【００７０】
一方、サービングセルは、ステップＳ１２０６において送信される第１測定結果報告メッセージを受信すると、そのメッセージにＣＳＧセルが含まれているか否かを判断する（ステップＳ１２１５）。ＣＳＧセルを含む場合、ＣＧＩ検出に必要な設定情報に閾値Ｒｔｈを含めた測定用設定メッセージを生成し（ステップＳ１２１６）、それをＵＥへ送信する（ステップＳ１２１７）。また、ステップＳ１２１２において送信される第２測定結果報告メッセージを受信し、第２測定結果報告メッセージの中にアクセス不許可フラグが含まれるかどうか判断し（ステップＳ１２１８）、含まれる場合は、次のハンドオーバ先候補になるマクロセルあるいは異なる周波数のセルを選択する。（ステップＳ１２１９）。なお、ステップＳ１２０３及びステップＳ１２１５において、ＣＳＧセルがトリガしない、ＣＳＧセルを含まないとそれぞれ判断された場合には、従来の処理が行われる。また、ステップＳ１２０７において、信頼性が高いと判定された場合には、第１又は第２の実施の形態の処理を行う。
【００７１】
＜第５の実施の形態＞
ＵＥがサービングセルからの測定用設定メッセージを受信してから第２測定結果報告メッセージを送信するまでには時間に制限がある。具体的にはＵＥが測定用設定メッセージを受信するとタイマー（Ｔ３２１）が起動し、タイマーが切れると第２測定結果報告メッセージを送信する処理は終了する。したがって、ＵＥはタイマーが切れるまでしかＣＧＩ検出ができない。第５の実施の形態ではＣＧＩ検出及びアクセス許可の確認を実行するＣＳＧセルの数に応じてタイマーの長さを変更する点がポイントである。
【００７２】
具体的にはＵＥが絞り込んだＣＳＧセルあるいはサービングセルから通知されたＰＣＩリストに含まれるＣＳＧセルの数が閾値Ｎｔｈを越えた場合には長いタイマーを設定する。一方、閾値Ｎｔｈを超えない場合には短いタイマーを設定する。ここでＵＥが使用する閾値Ｎｔｈやタイマーの値はＵＥがもともと保持することができるし、あるいは報知情報としてサービングセルから通知させることもできるし、あるいはサービングセルから測定用設定メッセージでＵＥ個別に通知することもできる。
【００７３】
また、第３の実施の形態のように、サービングセルから通知されるＰＣＩリストに基づいてＣＧＩ検出及びアクセス許可確認をする場合に、ＵＥのセル情報の信頼性が低い場合にはサービングセルがＰＣＩリストでＣＳＧセルを決定するので、サービングセルがタイマーの選択をすることができる。つまり、ＰＣＩリストに含まれるＣＳＧセルの数が閾値Ｎｔｈを越えた場合には長いタイマーを設定する。一方、閾値Ｎｔｈを超えない場合には短いタイマーを設定する。すなわち、タイマーが、移動端末自身又は接続基地局によって設定されるものであり、選択されたセルの数が所定の閾値（Ｎｔｈ）を超えた場合に長く設定され、所定の閾値を超えない場合に短く設定されることは、本発明の好ましい態様である。この構成により、セル数に応じた検出時間を確保することができる。サービングセルが決定したタイマーの値は測定用設定メッセージを用いてＵＥ個別に通知することができる。なお、この場合の動作フローを図１３Ａ、図１３Ｂに示す。この場合の動作フローについては後述する。
【００７４】
タイマーが切れるまでにアクセス許可のあるＣＳＧセルが検出できない場合には、第２測定結果報告メッセージを用いてアクセス許可のあるＣＳＧセルがないことを示すフラグを挿入してサービングセルに通知する。すなわち、生成手段（第２測定結果報告メッセージ生成部１４０８）が、第２のメッセージを受信した際、設定されたタイマーが所定の時間を経過するまでにアクセス許可のあるセルを検出できない場合、アクセス許可のあるセルがなかった旨を第３のメッセージ（第２測定結果報告メッセージ）に含めることは、本発明の好ましい態様である。この構成により、長時間の応答待ちを防ぐことができる。第５の実施の形態によりＵＥはアクセス許可のある可能性の高いＣＳＧセルをサービングセルに通知する機会を逃すのを防ぐことができる。
【００７５】
図１４は第５の実施の形態に係るＵＥの構成の一例を示す図である。図１４を用いて第５の実施の形態に係るＵＥについて説明する。ＵＥは、制御部１４０１、基地局通信ＩＦ１４０２、セル情報格納部１４０３から構成されている。また、さらに、制御部１４０１は、測定（Measurement）部（イベント判定部）１４０４、第１測定結果報告メッセージ生成部１４０５、測定用設定メッセージ（Measurement Configuration）受信部１４０６、処理部（セルＩＤ検出及びアクセス許可確認部）１４０７、第２測定結果報告メッセージ生成部１４０８、ＣＳＧセル選択部１４０９、信頼性判定部１４１０、タイマー部（タイマー選択部）１４１１から構成されている。
【００７６】
測定部１４０４は、周辺セルからの信号の受信品質を測定するものである。第１測定結果報告メッセージ生成部１４０５は、測定された情報に基づいて、受信品質の良いセルのＰＣＩを含めた第１測定結果報告メッセージを生成するものである。測定用設定メッセージ受信部１４０６は、ＣＧＩ検出に必要な設定情報に、閾値Ｒｔｈ、閾値Ｎｔｈ、タイマーを含めた測定用設定メッセージをサービングセルから受信するものである。
【００７７】
処理部１４０７は、閾値Ｒｔｈを使って受信品質に基づいてセルを絞り込み、絞り込んだセルに対して受信品質の高いセルからＣＧＩ検出及びアクセス許可の確認を実行するものである。また、処理部１４０７は、絞り込んだＣＳＧセルすべてのアクセス許可を確認後、アクセス許可のあるＣＳＧセルがない場合にはセル情報の信頼性が低いと考えられるのでアクセス許可の可能性が低いＣＳＧセルに対しても受信品質の閾値Ｒｔｈを満たせばＣＧＩ検出及びアクセス許可の確認を実行する。
【００７８】
第２測定結果報告メッセージ生成部１４０８は、アクセス許可のあるＣＳＧセルのＣＧＩを含む第２測定結果報告メッセージを生成するものである。また、第２測定結果報告メッセージ生成部１４０８は、すべてのＣＳＧセルにアクセス許可がない場合にはアクセス許可のあるＣＳＧセルがないことを示す情報（例えば、アクセス不許可フラグ）を挿入した第２測定結果報告メッセージを生成する。
【００７９】
ＣＳＧセル選択部１４０９はＣＳＧセルを選択するものである。信頼性判定部１４１０は、ＵＥが保持するセル情報に対する信頼性を判定するものである。タイマー部１４１１は、ＵＥが絞り込んだＣＳＧセルあるいはサービングセルから通知されたＰＣＩリストに含まれるＣＳＧセルの数が閾値Ｎｔｈを越えた場合には長いタイマーを設定するものである。一方、閾値Ｎｔｈを超えない場合には短いタイマーを設定する。基地局通信ＩＦ１４０２は、ＵＥとサービングセルとの間で行われるメッセージの送受信を行うインタフェースである。セル情報格納部１４０３は、現時点でもアクセス許可がある可能性の高いＣＳＧセルの情報を格納するものである。
【００８０】
図１５は第５の実施の形態に係る基地局（サービングセル）の構成の一例を示す図である。図１５を用いて第５の実施の形態に係る基地局について説明する。基地局は、制御部１５０１と端末通信ＩＦ１５０２から構成されている。また、さらに制御部１５０１は、第１測定結果報告メッセージ受信部（ＣＳＧセル有無判定部）１５０３、測定用設定メッセージ生成部１５０４、第２測定結果報告メッセージ受信部１５０５、他セル選択部１５０６から構成されている。
【００８１】
第１測定結果報告メッセージ受信部１５０３は、ＵＥから送信される第１測定結果報告メッセージを受信するものである。測定用設定メッセージ生成部１５０４は、ＣＧＩ検出に必要な設定情報に、閾値Ｒｔｈ、閾値Ｎｔｈ、タイマーを含めた測定用設定メッセージを生成するものである。このように、生成手段（測定用設定メッセージ生成部１５０４）が、移動端末においてアクセス許可のあるセルを検出できる時間を示すタイマーを設定させるために、タイマーの値及びいずれのタイマーの値を選択するべきかを判断するために必要なセル数の所定の閾値（Ｎｔｈ）を含む第２のメッセージを生成することは、本発明の好ましい態様である。この構成により、セル数に応じた検出時間を設定させることができる。第２測定結果報告メッセージ受信部１５０５は、第２測定結果報告メッセージを受信するものである。他セル選択部１５０６は第２測定結果報告メッセージにアクセス不許可フラグが含まれる場合に次のハンドオーバ先候補になるマクロセルあるいは異なる周波数のセルを選択する。端末通信ＩＦ１５０２は、サービングセルとＵＥとの間で行われるメッセージの送受信を行うインタフェースである。
【００８２】
ここで、本発明の第５の実施の形態における処理フローの一例を図１６Ａ、図１６Ｂに示す。ＵＥは、周辺セルからの信号の受信品質を測定する（ステップＳ１６０１）。そして、イベントトリガがかかったか否かを判断する（ステップＳ１６０２）。イベントトリガがかかった場合、ＣＳＧセルがトリガしたか否かを判断する（ステップＳ１６０３）。トリガした場合、保持するセル情報の信頼性を判定する（ステップＳ１６０４）。
【００８３】
そして、受信品質の良いセルのＰＣＩを含めた第１測定結果報告メッセージを生成する（ステップＳ１６０５）。そして、生成された第１測定結果報告メッセージをサービングセルへ送信する（ステップＳ１６０６）。その後、セル情報の信頼性が高いか否かを判断する（ステップＳ１６０７）。セル情報の信頼性が高い場合、ＣＳＧセルを選択する（ステップＳ１６０８）。
【００８４】
そして、ＵＥが閾値Ｒｔｈ、閾値Ｎｔｈ、タイマーを含む測定用設定メッセージ（Measurement configuration）をサービングセルから受信すると、閾値Ｒｔｈを使って受信品質に基づいてＣＳＧセルを絞り込む（ステップＳ１６０９）。絞り込み後のセルの数が閾値Ｒｔｈより大きいか否かを判断する（ステップＳ１６１０）。大きい場合、長いタイマーをセットし（ステップＳ１６１１）、小さい場合、短いタイマーをセットする（ステップＳ１６１２）。その後、タイマーをスタートさせる（ステップＳ１６１３）。
【００８５】
選択したＣＳＧセルを受信品質の良い順にＣＧＩ検出及びアクセス許可の確認を実行する（ステップＳ１６１４）。アクセス許可があるか否かを判断し（ステップＳ１６１５）、アクセス許可があれば、アクセス許可のあるＣＳＧセルのＣＧＩを含む第２測定結果報告メッセージを生成し（ステップＳ１６１６）、そのメッセージをサービングセルへ送信する（ステップＳ１６１７）。
【００８６】
ステップＳ１６１５において、アクセス許可がないと判断された場合、すべてのＣＳＧセルのアクセス許可の確認が済んでいるか否かを判断し（ステップＳ１６１８）、済んでいる場合、例えばアクセス不許可フラグを含む第２測定結果報告メッセージを生成する（ステップＳ１６１９）。ここで、済んでいない場合に、タイマーが設定された時間を経過したか否かを判断し（ステップＳ１６２０）、経過していればステップＳ１６１９に進む。
【００８７】
一方、サービングセルは、ステップＳ１６０６において送信される第１測定結果報告メッセージを受信すると、そのメッセージにＣＳＧセルが含まれているか否かを判断する（ステップＳ１６２１）。ＣＳＧセルを含む場合、ＣＧＩ検出に必要な設定情報に、閾値Ｒｔｈ、閾値Ｎｔｈ、タイマーを含めた測定用設定メッセージを生成し（ステップＳ１６２２）、それをＵＥへ送信する（ステップＳ１６２３）。また、ステップＳ１６１７において送信される第２測定結果報告メッセージを受信し、第２測定結果報告メッセージの中にアクセス不許可フラグが含まれるかどうか判断し（ステップＳ１６２４）、含まれる場合は、次のハンドオーバ先候補になるマクロセルあるいは異なる周波数のセルを選択する。（ステップＳ１６２５）。なお、ステップＳ１６０３及びステップＳ１６２１において、ＣＳＧセルがトリガしない、ＣＳＧセルを含まないとそれぞれ判断された場合には、従来の処理が行われる。また、ステップＳ１６０７において、信頼性が低いと判定された場合には、第４の実施の形態の処理を行う。
【００８８】
次に、第５の実施の形態において、上述したタイマー選択をサービングセルが行う場合の動作フローについて図１３Ａ、図１３Ｂを用いて説明する。ＵＥは、周辺セルからの信号の受信品質を測定する（ステップＳ１３０１）。そして、イベントトリガがかかったか否かを判断する（ステップＳ１３０２）。イベントトリガがかかった場合、ＣＳＧセルがトリガしたか否かを判断する（ステップＳ１３０３）。トリガした場合、保持するセル情報の信頼性を判定する（ステップＳ１３０４）。
【００８９】
そして、受信品質の良いセルのＰＣＩを含め、さらに信頼性フラグを含めた第１測定結果報告メッセージを生成する（ステップＳ１３０５）。そして、生成された第１測定結果報告メッセージをサービングセルへ送信する（ステップＳ１３０６）。その後、セル情報の信頼性が低いか否かを判断する（ステップＳ１３０７）。後述する測定用設定メッセージをサービングセルから受信すると、タイマーをスタートさせる（ステップＳ１３０８）。
【００９０】
選択したＣＳＧセルを受信品質の良い順にＣＧＩ検出及びアクセス許可の確認を実行する（ステップＳ１３０９）。アクセス許可があるか否かを判断し（ステップＳ１３１０）、アクセス許可があれば、アクセス許可のあるＣＳＧセルのＣＧＩを含む第２測定結果報告メッセージを生成し（ステップＳ１３１１）、そのメッセージをサービングセルへ送信する（ステップＳ１３１２）。
【００９１】
ステップＳ１３１０において、アクセス許可がないと判断された場合、すべてのＣＳＧセルのアクセス許可の確認が済んでいるか否かを判断し（ステップＳ１３１３）、済んでいる場合、例えばアクセス不許可フラグを含む第２測定結果報告メッセージを生成する（ステップＳ１３１４）。ここで、済んでいない場合に、タイマーが設定された時間を経過したか否かを判断し（ステップＳ１３１５）、経過していればステップＳ１３１４に進む。
【００９２】
一方、サービングセルは、ステップＳ１３０６において送信される第１測定結果報告メッセージを受信すると、そのメッセージに信頼性フラグが含まれているか否かを判断する（ステップＳ１３１６）。信頼性フラグを含む場合、セルの信頼性が低いか否かを判断する（ステップＳ１３１７）。信頼性が低い場合、ＣＳＧセルの選択及びＰＣＩリストの生成を行う（ステップＳ１３１８）。生成されたＰＣＩリストのセル数が閾値Ｎｔｈより大きいか否かを判断する（ステップＳ１３１９）。大きい場合、長いタイマーをセットし（ステップＳ１３２０）、小さい場合、短いタイマーをセットする（ステップＳ１３２１）。
【００９３】
ＣＧＩ検出に必要な設定情報に、ＰＣＩリスト及びタイマーを含めた測定用設定メッセージを生成し（ステップＳ１３２２）、それをＵＥへ送信する（ステップＳ１３２３）。このように、生成手段（測定用設定メッセージ生成部１５０４）が、セルリストのセルの数に応じた、移動端末においてアクセス許可のあるセルを検出できる時間を示すタイマー情報を含む第２のメッセージを生成することは、本発明の好ましい態様である。この構成により、セル数に応じた検出時間を確保することができる。また、ステップＳ１３１２において送信される第２測定結果報告メッセージを受信し、第２測定結果報告メッセージの中にアクセス不許可フラグが含まれるかどうか判断し（ステップＳ１３２４）、含まれる場合は、次のハンドオーバ先候補になるマクロセルあるいは異なる周波数のセルを選択する。（ステップＳ１３２５）。なお、ステップＳ１３０３及びステップＳ１３１６において、ＣＳＧセルがトリガしない、信頼性フラグを含まないとそれぞれ判断された場合には、従来の処理が行われる。また、ステップＳ１３０７及びステップＳ１３１７において、信頼性が高いと判定された場合には、第１又は第２の実施の形態の処理を行う。
【００９４】
なお、上記各実施の形態の説明に用いた各機能ブロックは、典型的には集積回路であるＬＳＩとして実現される。これらは個別に１チップ化されてもよいし、一部又はすべてを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。さらには、半導体技術の進歩又は派生する別技術によりＬＳＩに置き換わる集積回路化の技術が登場すれば、当然、その技術を用いて機能ブロックの集積化を行ってもよい。例えばバイオ技術の適応などが可能性としてあり得る。
【産業上の利用可能性】
【００９５】
本発明に係るハンドオーバ先特定システム、移動端末、及び基地局は、シグナリング量を削減でき、なおかつハンドオーバ処理時間を削減できるため、移動端末のハンドオーバ先を特定するための処理を行うハンドオーバ先特定システム、移動端末、及び基地局などに有用である。
【図１】
0005462864.tif 000002
【図２】
0005462864.tif 000003
【図３】
0005462864.tif 000004
【図４】
0005462864.tif 000005
【図５】
0005462864.tif 000006
【図６】
0005462864.tif 000007
【図７】
0005462864.tif 000008
【図８】
0005462864.tif 000009
【図９】
0005462864.tif 000010
【図１０】
0005462864.tif 000011
【図１１】
0005462864.tif 000012
【図１２】
0005462864.tif 000013
【図１３Ａ】
0005462864.tif 000014
【図１３Ｂ】
0005462864.tif 000015
【図１４】
0005462864.tif 000016
【図１５】
0005462864.tif 000017
【図１６Ａ】
0005462864.tif 000018
【図１６Ｂ】
0005462864.tif 000019
【図１７】
0005462864.tif 000020
【図１８】
0005462864.tif 000021
【図１９】
0005462864.tif 000022
【図２０】
0005462864.tif 000023